(57)【要約】【課題】操作対象機器に対応するリモコンコード数が増えてもプリセット操作が容易に行えるリモコン装置を提供する。【解決手段】リモコン装置５０は、入力された文字列に応じて遠隔操作対象機器を特定する入力コードを設定し、その操作対象機器に対して使用者の遠隔操作が可能となる。入力コードは、操作対象機器の製造メーカに対応したメーカ番号と遠隔操作対象機器に対応した個別番号とを組み合わせて構成されたａ（ａ：２以上の自然数）桁の文字列である。リモコン装置は制御部８と文字列を記憶する記憶部１０とを備える。制御部は、第１文字列が入力された際に、第１文字列の桁数がａであるか否かを判定し、ａの場合に第１文字列を第１入力コードとして設定すると共に第１入力コードの内のメーカ番号を記憶部に記憶させる。【選択図】図２
2010011324.tif 000002
【特許請求の範囲】
【請求項１】
遠隔操作対象機器の製造メーカに対応したメーカ番号と、前記遠隔操作対象機器に対応した個別番号と、を含んで構成されたａ（ａ：２以上の自然数）桁の文字列を入力する入力キーと、
前記入力キーで入力された前記文字列を記憶する記憶部と、
前記文字列として第１の文字列が入力された際に、前記第１の文字列の桁数がａであるか否かを判定し、ａであると判定した場合、前記第１の文字列を第１の入力コードとして設定すると共に、前記第１の入力コードの内の前記メーカ番号を前記記憶部に記憶させる制御部と、
を備えることを特徴とするリモコン装置。
【請求項２】
請求項１記載のリモコン装置において、
前記メーカ番号は前記遠隔操作対象機器の製造メーカに対応したｂ（ｂ：１以上の自然数）桁であり、
前記個別番号は前記操作対象機器に対応したｃ（ｃ：１以上の自然数）桁であり、
前記各桁数は、ａ≧ｂ＋ｃとされ、
前記制御部は、第２の文字列が入力された際に、前記第２の文字列の桁数がｃであり、かつ、前記記憶部に前記メーカ番号が記憶されている場合に、前記第２の文字列を新たな個別番号にすると共に、前記新たな個別番号と前記記憶部に記憶されている前記メーカ番号とを組み合わせて第２の文字列を生成し、前記第２の文字列を第２の入力コードとして設定することを特徴とするリモコン装置。
【請求項３】
遠隔操作対象機器の種類に対応した機器番号と、前記遠隔操作対象機器に対応した個別番号と、を含んで構成されたａ（ａ：２以上の自然数）桁の文字列を入力する入力キーと、
前記入力キーで入力された前記文字列を記憶する記憶部と、
前記文字列として第１の文字列が入力された際に、前記第１の文字列の桁数がａであるか否かを判定し、ａであると判定した場合、前記第１の文字列を第１の入力コードとして設定すると共に、前記第１の入力コードの内の前記機器番号を前記記憶部に記憶させる制御部と、
を備えることを特徴とするリモコン装置。
【請求項４】
請求項３記載のリモコン装置において、
前記機器番号は前記遠隔操作対象機器の種類に対応したｄ（ｄ：１以上の自然数）桁であり、
前記個別番号は前記操作対象機器に対応したｃ（ｃ：１以上の自然数）桁であり、
前記各桁数は、ａ≧ｃ＋ｄとされ、
前記制御部は、第２の文字列が入力された際に、前記第２の文字列の桁数がｃであり、かつ、前記記憶部に前記機器番号が記憶されている場合に、前記第２の文字列を個別番号にすると共に、その個別番号と前記記憶部に記憶されている前記メーカ番号とを組み合わせて第２の文字列を生成し、前記第２の文字列を第２の入力コードとして設定することを特徴とするリモコン装置。
【請求項５】
前記遠隔操作対象機器の製造メーカに対応したメーカ番号と、前記遠隔操作対象機器の種類に対応した機器番号と、前記遠隔操作対象機器に対応した個別番号と、を含んで構成されたａ（ａ：２以上の自然数）桁の文字列を入力する入力キーと、
前記入力キーで入力された前記文字列を記憶する記憶部と、
前記文字列として第１の文字列が入力された際に、前記第１の文字列の桁数がａであるか否かを判定し、ａであると判定した場合、前記第１の文字列を第１の入力コードとして設定すると共に、前記第１の入力コードの内の前記メーカ番号及び前記機器番号を前記記憶部に記憶させる制御部と、
を備えることを特徴とするリモコン装置。
【請求項６】
増方向及び減方向の入力を行う増減送りボタンを備え、
前記第１の入力コードが前記記憶部に記憶された後に、前記使用者が前記増減送りボタンを操作した場合、
前記制御部は、記憶された前記第１の入力コードに対し、前記操作が増の指示の場合、個別番号を増側に隣接する個別番号に置き換えた新たな入力コードを生成して設定し、減の指示の場合、個別番号を減側に隣接する個別番号に置き換えた新たな入力コードを生成して設定することを特徴とする請求項１乃至５のいずれか１項に記載のリモコン装置。
【請求項７】
前記遠隔操作対象機器における、製造メーカと種類と個別番号との対応を表示した表示部を備えたことを特徴とする請求項５記載のリモコン装置。
【請求項８】
遠隔操作対象機器の製造メーカに対応したメーカ番号と、前記遠隔操作対象機器に対応した個別番号と、を含んで構成したａ（ａ：２以上の自然数）桁の文字列として、第１の文字列が入力された際に、前記第１の文字列の桁数がａであるか否かを判定する桁数判定ステップと、
前記桁数判定ステップでａであると判定した場合、前記第１の文字列を第１の入力コードとしてプリセットする第１のプリセットステップと、
前記第１の入力コードの内の前記メーカ番号を記憶する記憶ステップと、を有することを特徴とするリモコン装置のプリセット方法。
【請求項９】
請求項８記載のリモコン装置のプリセット方法において、
前記メーカ番号を前記遠隔操作対象機器の製造メーカに対応したｂ（ｂ：１以上の自然数）桁とし、前記個別番号を前記操作対象機器に対応したｃ（ｃ：１以上の自然数）桁とし、前記各桁数をａ≧ｂ＋ｃとし、
第２の文字列が入力された際に、前記第２の文字列の桁数がｃであり、かつ、前記記憶部に前記メーカ番号が記憶されている場合に、前記第２の文字列を新たな個別番号にする個別番号生成ステップと、
前記新たな個別番号と前記記憶部に記憶されている前記メーカ番号とを組み合わせて第２の文字列を生成する第２の文字列生成ステップと、
前記第２の文字列を第２の入力コードとしてプリセットする第２のプリセットステップと、を有することを特徴とするリモコン装置のプリセット方法。
【請求項１０】
遠隔操作対象機器の種類に対応した機器番号と、遠隔操作対象機器に対応した個別番号と、を含んで構成したａ（ａ：２以上の自然数）桁の文字列として、第１の文字列が入力された際に、前記第１の文字列の桁数がａであるか否かを判定する桁数判定ステップと、
前記桁数判定ステップでａであると判定した場合、前記第１の文字列を第１の入力コードとしてプリセットする第１のプリセットステップと、
前記第１の入力コードの内の前記機器番号を記憶する記憶ステップと、を有することを特徴とするリモコン装置のプリセット方法。
【請求項１１】
請求項１０記載のリモコン装置のプリセット方法において、
前記機器番号を前記遠隔操作対象機器の種類に対応したｄ（ｄ：１以上の自然数）桁とし、前記個別番号を前記操作対象機器に対応したｃ（ｃ：１以上の自然数）桁とし、前記各桁数をａ≧ｂ＋ｃとし、
第２の文字列が入力された際に、前記第２の文字列の桁数がｃであり、かつ、前記記憶部に前記機器番号が記憶されている場合に、前記第２の文字列を新たな個別番号にする個別番号生成ステップと、
前記新たな個別番号と前記記憶部に記憶されている前記メーカ番号とを組み合わせて第２の文字列を生成する第２の文字列生成ステップと、
前記第２の文字列を第２の入力コードとしてプリセットする第２のプリセットステップと、を有することを特徴とするリモコン装置のプリセット方法。
【請求項１２】
遠隔操作対象機器の製造メーカに対応したメーカ番号と、前記遠隔操作対象機器の種類に対応した機器番号と、前記遠隔操作対象機器に対応した個別番号と、を含んで構成したａ（ａ：２以上の自然数）桁の文字列として、第１の文字列が入力された際に、前記第１の文字列の桁数がａであるか否かを判定する桁数判定ステップと、
前記桁数判定ステップでａであると判定した場合、前記第１の文字列を第１の入力コードとして設定する第１のプリセットステップと、
前記第１の入力コードの内の前記メーカ番号及び前記機器番号を前記記憶部に記憶する記憶ステップと、を有することを特徴とするリモコン装置のプリセット方法。
【請求項１３】
前記リモコン装置は、増方向及び減方向の入力を行う増減送りボタンを備え、
前記第１の入力コードを前記記憶部に記憶した後に、前記使用者が前記増減送りボタンを操作した場合、
記憶した前記第１の入力コードに対し、前記操作が増の指示の場合、個別番号を増側に隣接する個別番号に置き換えた新たな入力コードを生成してプリセットし、減の指示の場合、個別番号を減側に隣接する個別番号に置き換えた新たな入力コードを生成してプリセットすることを特徴とする請求項８乃至１２のいずれか１項に記載のリモコン装置のプリセット方法。
【発明の詳細な説明】
【技術分野】
【０００１】
本発明は、複数の機器それぞれに対応したリモコンコードを設定登録（プリセット）することでそれらの機器を一台で遠隔操作することができるリモコン装置と、そのリモコン装置におけるリモコンコードのプリセット方法と、に関する。
【背景技術】
【０００２】
複数の機器を一台で遠隔操作できる、いわゆる汎用リモコン、マルチリモコン、ユニバーサルリモコン、などと称されるリモコン装置が知られている。
このリモコン装置は記憶部を備え、例えば、操作対象とされた複数の機器のそれぞれに対応したリモコンコード（プリセットデータとも呼ばれる）を予めその記憶部に記憶しておき、ユーザが操作を希望する機器のリモコンコードを記憶部から呼び出してプリセットすることで、その機器のリモートコントロール操作が可能となるものである。
【０００３】
このリモコン装置の操作対象となり得る機器は、例えば、テレビジョン装置、レコーダ、オーディオアンプ等の電子機器があり、また、それらの機器は、その機器の製造メーカによらず操作対象とされるのが通常である。
詳しくは、対象となる製造メーカが２０社以上、各製造メーカ毎に入力コードが少なくとも平均１０種類存在する。従って、記憶すべきリモコンコード数は１００以上存在する。
【０００４】
各機器に対応するリモコンコードは、通常、複数桁の数字列とされている。
リモコンコードのリモコン装置へのプリセットは、例えば、リモコン装置の数字キーなどを用いてリモコンコードの数字列を直接入力し、その後、決定ボタンを押す、などの操作で行われる。
また、ユーザが行うプリセット操作を容易にするために、各製造メーカに対応するメーカ番号を設定して先頭桁にすると共にそのメーカ番号の末尾に各リモコンコードに対応した連番を付与してなる構成の入力コードを設定し、その入力コードをユーザがキー入力できるようにする場合もある。
【０００５】
リモコンコードの入力操作を容易にする技術については、種々の提案がされており、一例として特許文献１に記載されたものがある。
【０００６】
【特許文献１】特開平６−６８７６号公報
【発明の開示】
【発明が解決しようとする課題】
【０００７】
ところで、近年のデジタル機器の普及などにより、操作対象とすべき機器が極めて多種多様化している。
上述したような、入力コードを、メーカ番号とその末尾に付与した各リモコンコードに対応した連番とで構成する場合、操作対象機器が増えるとそのメーカに該当するリモコンコード数が増加して連番の桁数が増え、入力コードの桁数も増加する。
【０００８】
入力コードの桁数が多くなると、入力コードを誤入力した場合や、プリセットした入力コードが操作したい機器に対応していないものであって他の入力コードを再度プリセットする場合など、あらためて入力コードの全桁を入力しなければならず、大変手間がかかる。
また、設定のための入力コードが多数存在することから、入力コードを、対象製造メーカや対象機器名と共に一覧として示す場合、リモコン装置に表示するにはスペースが足りないので、取り扱い説明書や別に設けた用紙に表記される。
【０００９】
この場合、他の入力コードを入力する度に、取扱い説明書などに記載されている入力コードを参照することになり、プリセット操作が面倒な作業になってしまうという問題が生じている。
また、取扱い説明書などを紛失すると、該当する入力コードが不明になり、製造メーカに問い合わせるなどしなければならず、使用者に大きな負担を強いることになる。
【００１０】
一方、特許文献１には、リモコン装置の各キーに各製造メーカを割り当てて対応させ、所望の製造メーカに対応するキーの押し下げ回数で、リモコンコードを入力する技術が記載されている。
【００１１】
この技術においても、リモコンコード数が増加すると、キーの押し下げ回数が増加してしまうのでプリセット操作は面倒な作業になる。
【００１２】
また、操作対象機種の拡大に伴いその製造メーカ数も増加するので、キーの数が足りずに割り当てができなくなることも懸念される。
【００１３】
そこで、本発明が解決しようとする課題は、操作対象機器に対応するリモコンコード数が増えても、プリセット操作が容易に行えるリモコン装置及びリモコン装置のプリセット方法を提供することにある。
【課題を解決するための手段】
【００１４】
上記の課題を解決するために、本願発明は次の１）〜１３）の手段を有する。
１）遠隔操作対象機器の製造メーカに対応したメーカ番号と、遠隔操作対象機器に対応した個別番号と、を含んで構成されたａ（ａ：２以上の自然数）桁の文字列を入力する入力キー（ＫＹ）と、
前記入力キー（ＫＹ）で入力された前記文字列を記憶する記憶部（１０）と、を備え、
前記文字列として第１の文字列が入力された際に、前記第１の文字列の桁数がａであるか否かを判定し、ａであると判定した場合、前記第１の文字列を第１の入力コード（ＮＣ）として設定すると共に、前記第１の入力コード（ＮＣ）の内の前記メーカ番号を前記記憶部（１０）に記憶させる制御部（８）と、
を備えることを特徴とするリモコン装置（５０）である。
２）  １）に記載のリモコン装置において、
前記メーカ番号は遠隔操作対象機器の製造メーカに対応したｂ（ｂ：１以上の自然数）桁であり、
前記個別番号は操作対象機器に対応したｃ（ｃ：１以上の自然数）桁であり、
前記各桁数は、ａ≧ｂ＋ｃとされ、
前記制御部（８）は、第２の文字列が入力された際に、前記第２の文字列の桁数がｃであり、かつ、前記記憶部（１０）に前記メーカ番号が記憶されている場合に、前記第２の文字列を新たな個別番号にすると共に、新たな前記個別番号と前記記憶部（１０）に記憶されている前記メーカ番号とを組み合わせて第２の文字列を生成し、前記第２の文字列を第２の入力コードとして設定することを特徴とするリモコン装置（５０）である。
３）  遠隔操作対象機器の種類に対応した機器番号と、遠隔操作対象機器に対応した個別番号と、を組み合わせて構成されたａ（ａ：２以上の自然数）桁の文字列を入力する入力キー（ＫＹ）と、
前記入力キー（ＫＹ）で入力された前記文字列を記憶する記憶部（１０）と、
前記文字列として第１の文字列が入力された際に、前記第１の文字列の桁数がａであるか否かを判定し、ａであると判定した場合、前記第１の文字列を第１の入力コードとして設定すると共に、前記第１の入力コードの内の前記機器番号を前記記憶部（１０）に記憶させる制御部（８）と、
を備えることを特徴とするリモコン装置（５０）である。
４）  ３）に記載のリモコン装置において、
前記機器番号は前記遠隔操作対象機器の種類に対応したｄ（ｄ：１以上の自然数）桁であり、
前記個別番号は前記操作対象機器に対応したｃ（ｃ：１以上の自然数）桁であり、
前記桁数は、ａ≧ｃ＋ｄとされ、
前記制御部（８）は、第２の文字列が入力された際に、前記第２の文字列の桁数がｃであり、かつ、前記記憶部（１０）に前記機器番号が記憶されている場合に、前記第２の文字列を個別番号にすると共に、その個別番号と前記記憶部（１０）に記憶されている前記メーカ番号とを組み合わせて第２の文字列を生成し、前記第２の文字列を第２の入力コードとして設定することを特徴とするリモコン装置（５０）である。
５）  前記遠隔操作対象機器の製造メーカに対応したメーカ番号と、前記遠隔操作対象機器の種類に対応した機器番号と、前記遠隔操作対象機器に対応した個別番号と、を含んで構成されたａ（ａ：２以上の自然数）桁の文字列を入力する入力キー（ＫＹ）と、
前記入力キー（ＫＹ）で入力された前記文字列を記憶する記憶部（１０）と、
前記文字列として第１の文字列が入力された際に、前記第１の文字列の桁数がａであるか否かを判定し、ａであると判定した場合、前記第１の文字列を第１の入力コードとして設定すると共に、前記第１の入力コードの内の前記メーカ番号及び前記機器番号を前記記憶部（１０）に記憶させる制御部（８）と、
を備えることを特徴とするリモコン装置（５０）である。
６）  増方向及び減方向の入力を行う増減送りボタン（２）を備え、
前記第１の入力コードが前記記憶部（１０）に記憶された後に、前記使用者が前記増減送りボタン（２）を操作した場合、
前記制御部（８）は、記憶された前記第１の入力コードに対し、前記操作が増の指示の場合、個別番号を増側に隣接する個別番号に置き換えた新たな入力コードを生成して設定し、減の指示の場合、個別番号を減側に隣接する個別番号に置き換えた新たな入力コードを生成して設定することを特徴とする１）乃至５）のいずれかに記載のリモコン装置（５０）である。
７）  前記遠隔操作対象機器における、製造メーカと種類と個別番号との対応を表示した表示部（６）を備えたことを特徴とする５）に記載のリモコン装置（５０）である。
８）  遠隔操作対象機器の製造メーカに対応したメーカ番号と、前記遠隔操作対象機器に対応した個別番号と、を含んで構成したａ（ａ：２以上の自然数）桁の文字列として、第１の文字列が入力された際に、前記第１の文字列の桁数がａであるか否かを判定する桁数判定ステップと、
前記桁数判定ステップでａであると判定した場合、前記第１の文字列を第１の入力コードとしてプリセットする第１のプリセットステップと、
前記第１の入力コードの内の前記メーカ番号を記憶する記憶ステップと、を有することを特徴とするリモコン装置（５０）のプリセット方法である。
９）  ８）に記載のリモコン装置のプリセット方法において、
前記メーカ番号を前記遠隔操作対象機器の製造メーカに対応したｂ（ｂ：１以上の自然数）桁とし、前記個別番号を前記操作対象機器に対応したｃ（ｃ：１以上の自然数）桁とし、前記各桁数をａ桁（ａ≧ｂ＋ｃ）とし、
第２の文字列が入力された際に、前記第２の文字列の桁数がｃであり、かつ、前記記憶部に前記メーカ番号が記憶されている場合に、前記第２の文字列を新たな個別番号にする個別番号生成ステップと、
前記新たな個別番号と前記記憶部に記憶されている前記メーカ番号とを組み合わせて第２の文字列を生成する第２の文字列生成ステップと、
前記第２の文字列を第２の入力コードとしてプリセットする第２のプリセットステップと、を有することを特徴とするリモコン装置（５０）のプリセット方法である。
１０）  遠隔操作対象機器の種類に対応した機器番号と、前記遠隔操作対象機器に対応した個別番号と、を含んで構成したａ（ａ：２以上の自然数）桁の文字列として、第１の文字列が入力された際に、前記第１の文字列の桁数がａであるか否かを判定する桁数判定ステップと、
前記桁数判定ステップでａであると判定した場合、前記第１の文字列を第１の入力コードとしてプリセットする第１のプリセットステップと、
前記第１の入力コードの内の前記機器番号を記憶する記憶ステップと、を有することを特徴とするリモコン装置（５０）のプリセット方法である。
１１）  １０）に記載のリモコン装置のプリセット方法において、
前記機器番号を前記遠隔操作対象機器の種類に対応したｄ（ｄ：１以上の自然数）桁とし、前記個別番号を前記操作対象機器に対応したｃ（ｃ：１以上の自然数）桁とし、前記各桁数をａ≧ｃ＋ｄとし、
第２の文字列が入力された際に、前記第２の文字列の桁数がｃであり、かつ、前記記憶部に前記機器番号が記憶されている場合に、前記第２の文字列を新たな個別番号にする個別番号生成ステップと、
前記新たな個別番号と前記記憶部に記憶されている前記メーカ番号とを組み合わせて第２の文字列を生成する第２の文字列生成ステップと、
前記第２の文字列を第２の入力コードとしてプリセットする第２のプリセットステップと、を有することを特徴とするリモコン装置のプリセット方法である。
１２）  遠隔操作対象機器の製造メーカに対応したメーカ番号と、前記遠隔操作対象機器の種類に対応した機器番号と、前記遠隔操作対象機器に対応した個別番号と、を含んで構成したａ（ａ：２以上の自然数）桁の文字列として、第１の文字列が入力された際に、前記第１の文字列の桁数がａであるか否かを判定する桁数判定ステップと、
前記桁数判定ステップでａであると判定した場合、前記第１の文字列を第１の入力コードとして設定する第１のプリセットステップと、
前記第１の入力コードの内の前記メーカ番号及び前記機器番号を前記記憶部に記憶する記憶ステップと、を有することを特徴とするリモコン装置（５０）のプリセット方法である。
１３）  前記リモコン装置は、増方向及び減方向の入力を行う増減送りボタンを備え、
前記第１の入力コードを前記記憶部に記憶した後に、前記使用者が前記増減送りボタンを操作した場合、
記憶した前記第１の入力コードに対し、前記操作が増の指示の場合、個別番号を増側に隣接する個別番号に置き換えた新たな入力コードを生成してプリセットし、減の指示の場合、個別番号を減側に隣接する個別番号に置き換えた新たな入力コードを生成してプリセットすることを特徴とする８）乃至１２）のいずれかに記載のリモコン装置（５０）のプリセット方法である。
【発明の効果】
【００１５】
本発明によれば、操作対象機器に対応するリモコンコード数が増えても、プリセット操作が容易に行える、という効果を奏する。
【発明を実施するための最良の形態】
【００１６】
本発明の実施の形態を、好ましい実施例により図１〜図５を用いて説明する。
【００１７】
図１は、実施例のリモコン装置５０の正面図及び背面図である。
図２は、実施例のリモコン装置５０のブロック図である。
図３は、実施例のリモコン装置のプリセット方法で用いる入力コードＮＣを説明する表である。
図４は、実施例のリモコン装置のプリセット方法を説明するフロー図である。
図５は、実施例のリモコン装置のプリセット方法における変形例を説明するフロー図である。
【００１８】
図１において、リモコン装置５０は、複数の操作キーＫＹや設定スイッチ５などを備えている。
【００１９】
具体的には、図１（ａ）に示すように、操作キーＫＹとして、正面側に、「１」〜「１２」の１２個の数字キー１と、＋側及び−側へチャンネルを送る送りボタン２と、入力内容を決定とする決定ボタン３と、機器選択ボタン群４と、備えている。
【００２０】
また、図１（ｂ）に示すように、設定スイッチ５は側面側に設けられている。
設定スイッチ５は、通常モードとプリセットモードとを切り換えるスイッチである。この設定スイッチ５を「設定」側にすると、通常のリモコン操作がキャンセルされプリセットが可能となる。
【００２１】
また、リモコン装置５０は、内部にスピーカまたはブザーなどの音声出力部１１を備えている。
【００２２】
リモコン装置５０は、機器選択ボタン群４の押し下げ操作により、機器の種類（分類）を選択でき、その選択した種類毎に、操作する機器のプリセットが可能とされている。
具体的には、「テレビ」，「ケーブル」，「チューナ」，「ＤＶＤ１」，「ＤＶＤ２」，及び「ビデオ」の機器選択ボタン４ａ〜４ｆを押すことで、プリセットする機器の種類が選択される（ＤＶＤ：Digital Versatile Disc）。
【００２３】
図１（ｂ）に示すように、リモコン装置５０は、その背面に、プリセットにおいて入力する入力コード表とプリセット方法とを表示する表示部として、それらが記載された案内シール６ａ，６ｂが貼付されている。シールではなく、直接筐体に刻印や印刷などをして表示してもよい。入力コード表の詳細は、図３を用いて後述する。
【００２４】
リモコン装置５０は、前面５０ａに発光部７を備える。この発光部７は、操作コマンドに基づく操作信号に対応した例えば赤外光を外部に出射する。
【００２５】
図２はリモコン装置５０のブロック図である。
【００２６】
図２において、リモコン装置５０は、ユーザにより操作される操作キーＫＹと、操作キーＫＹの押し下げに対応した操作信号ＳＧ１を出力するキーマトリックス部（以下、マトリックス部ＫＭと称する）と、モード切り換え信号ＳＧ２を出力する設定スイッチ５と、を備えている。
また、操作信号ＳＧ１及びモード切り換え信号ＳＧ２とプリセット操作で設定登録されたリモコンコード（詳細は後述する）に対応した操作コマンドとに基づいたコマンド信号ＳＧ３を出力する制御部７と、コマンド信号ＳＧ３を所定の出力手段７（この実施例においては発光部７）で出力するための出力信号ＳＧ４に変換する送信部９と、リモコンコードＲＣと入力コードＮＣなどを記憶する記憶部１０と、制御部８の指示により発音する音声出力部１１と、制御部８により発光が制御されるインジケータ１２と、を備えている。
実施例において、インジケータ１２は、発光時に各機器選択ボタン４ａ〜４ｆを照明するように各ボタンに内蔵されている。
【００２７】
記憶部１０は、予め操作対象とする機器に対応したｎ個（ｎ：２以上の自然数）のリモコンコードＲＣ（ＲＣ１〜ＲＣｎ）と各リモコンコードに対応した入力コードＮＣ（ＮＣ１〜ＮＣｎ）が記憶されている。
リモコンコードＲＣは、複数の製造メーカ及び操作対象機器の複数の種類を含んで設定されている。
また、記憶部１０は、機器選択ボタン４ａ〜４ｆで選択される機器種類それぞれに対応した独立した複数の記憶領域１０ａ〜１０ｆを有しており、各記憶領域１０ａ〜１０ｆにはプリセット操作において入力コードが記憶される（詳細は後述する）。
【００２８】
また、各リモコンコードＲＣ１〜ＲＣｎには、そのリモコンコードＲＣ１〜ＲＣｎで操作可能な機器の動作を制御する操作コマンドが対応づけられて、記憶部１０に記憶されている。
従って、入力コードＮＣと、操作コマンドとは、リモコンコードＲＣを介して対応づけられている。
そして、制御部８が、操作対象機器を動作を制御する操作コマンドと、入力された入力コードＮＣとの対応づけをすることでプリセット（設定）が行われる。
プリセットにおいて、制御部８は、設定する入力コードを記憶部１０に記憶させるが、制御部８が有する記憶部８Ｍに記憶させてもよい。また、記憶部１０と記憶部８Ｍの双方に記憶させる場合、記憶部８Ｍに記憶させる情報は、入力コードの数字列そのままに限らず、入力コードに対応するアドレス情報であってもよい。
【００２９】
出力手段７は、赤外光を用いるものに限らず、音波や電波などを用いるものでもよい。
【００３０】
図３は、記憶部１０に予め記憶されている入力コードＮＣを説明する表である。
【００３１】
この入力コードＮＣは所定の桁数ａが予め決められている。実施例では、５桁（ａ＝５）の数字列である。
その内の、所定の桁数ｂが製造メーカに対応するメーカ番号に対応する。実施例では、１桁目と２桁目との２桁分（ｂ＝２）とされている。
この例では、Ａ社：０１、Ｂ社：０２、・・・、Ｎ社：１４  まで対応させているが、最大９９社まで区別できる。メーカ番号として「００」を使用すると１００社まで区別できる。
【００３２】
また、所定の桁数ｄが機器の種類に対応する機器番号である。実施例では、３桁目の１桁分（ｄ＝１）がとされている。
この例では、１：テレビ、２：ケーブルテレビまたはデジタルＣＳチューナ、３：デジタルチューナ（地上波）、４：ビデオ（ＶＴＲなど）、５：ディスク装置に対応する。ディスクとしては、ＤＶＤ，ＢＤ（Ｂｌｕ−Ｒａｙ  Ｄｉｓｃ）などのディスクがある。
機器番号を１桁としたこの例では、「０」を含み１０種類の機器に対応させることができる。
【００３３】
所定の桁数ｃがリモコンコードＲＣに対応する個別番号である。実施例では４桁目と５桁目との２桁分（ｃ＝２）とされている。
具体的には、個別番号は、メーカ番号と機器番号とを組み合わせた数字列（３桁）ごとに０１からの連番で設定される。
４，５桁目として「００」を使用すると１００社まで区別できる。
また、個別番号は、若い（小さい）数字列ほど、操作できる対象機種数が多い、あるいは、市場への販売台数の多い機種のリモコンコードと対応づけられている。
【００３４】
この表における入力コードＮＣの一例として、製造メーカが「Ｅ社」の「デジタルチューナ」を操作したい場合を示すならば、メーカ番号が「Ｅ社」で「０５」、機器番号が「デジタルチューナ」で「３」、個別番号は「０１」から「９９」までの連番となるので、該当する入力コードＮＣは、「０５３０１」〜「０５３９９」のいずれかとなる。
また、同じ製造メーカ「Ｅ社」の「テレビ」を操作したい場合は、機器番号が「１」となり、入力コードＮＣは、「０５１０１」〜「０５１９９」のいずれかが該当する。
図３に示される表は、例えば、図１に示す案内シール６ａに印刷されて表示される。これにより、使用者が取り扱い説明書などを見ることなく、入力コードを把握することができる。
【００３５】
次に、リモコン装置５０のプリセット操作について詳述する。
図４は、このプリセット操作を説明するためのフロー図である。
【００３６】
（Ｓｔｅｐ１）
まず、使用者が設定スイッチ５をプリセットモード側にする。
【００３７】
（Ｓｔｅｐ２）
制御部８は、設定スイッチ５からのモード切り換え信号ＳＧ２を受けて、音声出力部１１から音声（ビー音）を出力させると共に、インジケータ１２のすべてを点滅させる。
この音声出力と点滅とは、設定スイッチ５がプリセットモード側にある間、実行されるので、使用者は、リモコン装置５０がプリセットモード状態であることが認識できる。以下、この段階の状態を入力待機モード〔ＮＭ〕と称する。
【００３８】
（Ｓｔｅｐ３）
使用者がいずれかの操作キーＫＹを操作する。
【００３９】
（Ｓｔｅｐ４）
制御部８は、操作された操作キーＫＹが、機器選択ボタン４ａ〜４ｆである（ｙｅｓ）か、否（Ｎｏ）か、を判定する。
【００４０】
（Ｓｔｅｐ５）
判定がＮｏであった場合、制御部８は、誤操作であることを使用者に知らせるために、音声出力部１１から警告音（ピピピ音）を出力させ、入力をキャンセルし、操作キーＫＹ入力待ちとする。
【００４１】
（Ｓｔｅｐ６）
判定がＹｅｓであった場合、制御部８は、機器選択ボタン４ａ〜４ｆの内の操作された機器選択ボタン４ｂ（ここでは４ｂが選択されたものとする）のノブに対して、そのノブに内蔵したインジケータ１２のみを発光させて照明すると共に、リモコン装置５０自体を、機器選択ボタン４ｂに対応する入力コードの入力待ち状態とする。以下、この段階をプリセット待機モード〔ＰＭ〕と称する。
【００４２】
（Ｓｔｅｐ７）
使用者は、プリセットしたい機器に対応する入力コードＮＣを、案内シール６などで把握し、その入力コードＮＣ（５桁）を数字キー１により入力し、決定の場合に決定ボタン３を押し下げる。
【００４３】
（Ｓｔｅｐ８）
制御部８は、入力操作されたキーが入力に有効か無効かを判定する。
【００４４】
（Ｓｔｅｐ９）
無効と判定したら、警告音（ピピピ音）を音声出力部１１から出力させると共に、その入力をキャンセルし、リモコン装置５０自体の動作をプリセット待機モード〔ＰＭ〕へ移行させる。
【００４５】
（Ｓｔｅｐ１０）
有効と判定したら、入力受付音（ピッ音）を音声出力部１１から出力させる。
【００４６】
（Ｓｔｅｐ１１）
その所定時間Ｔ１内に、数字キー１による有効なｋ（ｋ：２以上の自然数）回の入力と、その後の決定ボタン３の押し下げとの両方が実行された（Ｙｅｓ）か、否（Ｎｏ）かを判定する。
【００４７】
（Ｓｔｅｐ１２）
この判定がＮｏの場合、制御部８は、さらに、Ｓｔｅｐ３のキー入力がされた時刻をｔｍ１として、ｔｍ１から所定の時間Ｔ１が経過した（Ｙｅｓ）か、否（Ｎｏ）かを判定する。
これはいわゆるタイムアウト機能であり、所定の時間Ｔ１は、例えば６０秒とされる。
このタイムアウト機能は省略してもよい。すなわち、Ｓｔｅｐ１１で否（Ｎｏ）判定の場合、Ｓｔｅｐ１２を実行せずにプリセット待機モード〔ＰＭ〕へ移行させる。
【００４８】
（Ｓｔｅｐ１３）
Ｓｔｅｐ１２でＹｅｓと判定された場合、制御部８は、リモコン装置５０の動作状態を入力待機モード〔ＮＭ〕へ移行させる。
これは、入力操作がキャンセルされたとみなされることによる。
【００４９】
（Ｓｔｅｐ１４）
Ｓｔｅｐ１２でＮｏと判定された場合、制御部８は、リモコン装置５０の動作状態をプリセット待機モード〔ＰＭ〕へ移行させる。
これは、入力操作が継続中で中断しているとみなされることによる。
【００５０】
（Ｓｔｅｐ１５）
Ｓｔｅｐ１１における判定がＹｅｓの場合、制御部８は、決定ボタン３の押し下げ前の数字キー１の有効な入力回数ｋが２か、５か、又は、それら以外（Ｎｏ）か、を判定する。
【００５１】
（Ｓｔｅｐ１６）
判定がＮｏの場合は誤入力とみなし、警告音（ピピピ音）を音声出力部１１から出力させると共に、リモコン装置５０自体の動作をプリセット待機モード〔ＰＭ〕へ移行させる。
【００５２】
（Ｓｔｅｐ１７）
ｋ＝５の場合、入力された５桁の数字列と記憶部１０に記憶された入力コードＮＣ１〜ＮＣｎとを比較して、合致するものがあるか否かを判定する。
【００５３】
（Ｓｔｅｐ１８）
合致する入力コードが無い場合（Ｎｏ）は誤入力とみなし、警告音（ピピピ音）を音声出力部１１から出力させると共に、リモコン装置５０自体の動作をプリセット待機モード〔ＰＭ〕へ移行させる。
【００５４】
（Ｓｔｅｐ１９）
合致する入力コードがある場合（Ｙｅｓ）は、キー入力された数字列（５桁）を入力コードとして、Ｓｔｅｐ２３へ進む。
【００５５】
（Ｓｔｅｐ２０）
Ｓｔｅｐ１５においてｋ＝２と判定された場合、制御部８は、過去のプリセット操作によって、メーカ番号及び機器番号の３桁の数字列が記憶部１０の選択された機器に対応する記憶領域１０ｂに記憶されている（Ｙｅｓ）か、否（Ｎｏ）かを判定する。
【００５６】
（Ｓｔｅｐ２１）
判定がＮｏの場合は誤入力と判定し、警告音（ピピピ音）を音声出力部１１から出力させると共に、リモコン装置５０自体の動作をプリセット待機モード〔ＰＭ〕へ移行させる。
【００５７】
（Ｓｔｅｐ２２）
判定がＹｅｓの場合は、入力された２桁の数字列を個別番号として採用すると共に、記憶部１０に記憶されているメーカ番号及び機器番号（３桁）をそのままメーカ番号及び機器番号として採用して、５桁の数字列を入力コードとして生成する。
【００５８】
（Ｓｔｅｐ２３）
入力コードに対応するリモコンコードＲＣｂを、押された機器選択ボタン４ｂに対応する種類の機器における、操作対象機器のリモコンコードＲＣｂとして設定登録（プリセット）する。
【００５９】
（Ｓｔｅｐ２４）
制御部８は、Ｓｔｅｐ１９で入力コードとして数字列を、記憶部１０の機器選択ボタン４ｂで選択された機器に対応する記憶領域１０ｂに記憶させる。
【００６０】
（Ｓｔｅｐ２５）
Ｓｔｅｐ２３の処理が終了したら、使用者に設定完了を知らせる設定音（例えば、ピー音）を音声出力部１１から出力される。
実際の処理は瞬時に実行されるので、使用者は、入力が有効な場合、決定ボタン３の押し下げとほぼ同時にこの設定音を聞くことができる。
【００６１】
（Ｓｔｅｐ２６）
使用者は、決定ボタン受付音を確認したら、設定スイッチ５を通常モード側に戻す。これにより設定スイッチ５から２回目のモード切り換え信号ＳＧ２が出力される。
【００６２】
（Ｓｔｅｐ２７）
制御部８は、この２回目のモード切り換え信号ＳＧ２を受けて、音声出力部１１からの音声出力を停止させると共に、インジケータ１２を消灯させる。
【００６３】
以上が、リモコン装置５０におけるリモコンコードＲＣのプリセット操作である。
【００６４】
（Ｓｔｅｐ２５）の後に、続けて他の種類の機器についてのプリセットを行う場合は、他の機器選択ボタン４ａ〜４ｆを押し下げして、（Ｓｔｅｐ３）以降の手順を同様に実行する。
他の機器選択ボタンとして例えば機器選択ボタン４ｅが押し下げられた場合、その機器選択ボタン４ｅに対応したプリセット操作が以前実行されて、その以前の操作の（Ｓｔｅｐ２４）において、記憶部１０の記憶領域１０ｅにメーカ番号と機器番号とに対応する３桁を含む数字列が記憶されていれば、その内の３桁の数字列を新たなメーカ番号と機器番号として採用する。
これにより、全桁（５桁）を入力することなく、個別番号（２桁）のみ入力して決定ボタン３を押し下げれば、プリセット操作が完了する。
従って、他の種類の機器に対応したリモコンコードＲＣのプリセット操作を、少ないキー押し下げ回数で、容易に行うことができる。
以前に操作が実行されてなく、記憶領域１０ｅに数字列が記憶されていない場合は、全桁（５桁）を記憶領域１０ｅに記憶させる。
【００６５】
プリセット操作が終了したら、使用者はリモコン装置５０で対象の機器の遠隔操作が可能か否かの操作確認を行うとよい。
【００６６】
上述したプリセット操作において、操作対象機器の取扱い説明書が無いなどの理由で、その機器に対応する個別番号が不明な場合は、メーカ番号と機器番号とを入力したのち、個別番号を、まず最も適合する確率の高い、小さい（若い）番号、すなわち「０１」として入力するとよい。
【００６７】
また、個別番号を「０１」として設定してもリモコン操作できない場合、次候補として「０２」、「０３」、「０４」、・・・の昇順に再プリセット操作を順次実行すれば、適合する可能性の高い順にリモコンコードが選択されるので、短時間に設定を完了することができる。
【００６８】
上述のプリセット手順によれば、再プリセット操作では、記憶部１０にメーカ番号と機器番号とに対応する数字列（実施例では３桁）が記憶されているので、全桁（実施例では５桁）を入力することなく、個別番号（実施例では２桁）のみ入力して決定ボタン３を押し下げれば再プリセットが完了する。
従って、再プリセット操作を極めて容易に行うことができる。
【００６９】
＜変形例＞
実施例では、入力コードの入力を、数字キー１で行う例を説明したが、入力の一部を送りボタン２で行うこともでき、その例を変形例として以下に説明する。
【００７０】
図５は、変形例を説明するためのフロー図である。
この変形例は、図４のフロー図における（Ｓｔｅｐ６）までは共通であるので、その次の手順から、（ＳｔｅｐＡ１）〜（ＳｔｅｐＡ７）として詳述する。
【００７１】
リモコン装置５０は、（Ｓｔｅｐ１）〜（Ｓｔｅｐ６）を経てプリセット待機モード〔ＰＭ〕とされている。また、機器選択ボタン４ｅが選択されているものとする。
【００７２】
（ＳｔｅｐＡ１）
プリセット待機モードにおいて、使用者が送りボタン２の「＋」側または「−」側を押し下げる。
【００７３】
（ＳｔｅｐＡ２）
送りボタン２からの操作信号ＳＧ１を受け、制御部８は、記憶部１０の機器選択ボタン４ｅで選択される機器に対応する記憶領域１０ｅに、数字列が記憶されている（Ｙｅｓ）か、否（Ｎｏ）かを判定する。
【００７４】
（ＳｔｅｐＡ３）
判定がＮｏの場合、制御部８は、警告音（ピピピ音）を音声出力部１１から出力させると共に、リモコン装置５０自体の動作をプリセット待機モード〔ＰＭ〕へ移行させる。
【００７５】
（ＳｔｅｐＡ４）
判定がＹｅｓの場合、制御部８は、記憶部１０に記憶された全桁の数字列（この例では５桁）を読み出し、その数字列における個別番号に１と加えた入力コードを生成する。
例えば、記憶部１０から読み出した数字列が、「０２３０５」の場合は、入力コードとして「０２３０６」を生成する。これは、メーカがＢ社で「０２」、機器がデジタルチューナで「３」、個別番号が６番目の「０６」なる入力コードである。
【００７６】
逆に、送りボタン２の「−」側を押し下げた場合は、記憶部１０から読み出した数字列における個別番号から１を減じた入力コードを生成する。
この処理で生成した入力コードを、生成入力コードＳＮＣと称する。
例えば、記憶部１０から読み出した数字列が「０２３０５」の場合は、生成入力コードとして「０２３０４」を生成する。
【００７７】
（ＳｔｅｐＡ５）
制御部８は、予め記憶している有効な入力コードＮＣの中に、生成した生成入力コードＳＮＣに合致するものがあるかないかの判定を行う。
【００７８】
（ＳｔｅｐＡ６）
合致するものがない場合は、警告音（ピピピ音）を音声出力部１１から出力させると共に、生成入力コードＳＮＣの個別番号を、ＳｔｅｐＡ４以前の状態に戻し、プリセット待機モード〔ＰＭ〕へ移行させる。
すなわち、ＳｔｅｐＡ４で個別番号に１を加えてある場合は１を減じ、１を減じてある場合は１を加えてプリセット待機モード〔ＰＭ〕へ移行させる。
【００７９】
（ＳｔｅｐＡ７）
（ＳｔｅｐＡ５）で合致するものがある場合は、生成入力コードＳＮＣと合致する入力コードに対応するリモコンコードＲＣβを、押された機器選択ボタン４βに対応する種類の機器における、操作対象機器のリモコンコードＲＣβとして設定する。
その後、Ｓｔｅｐ２４と同じく、入力コードを記憶部１０の記憶領域１０ｅに上書き記憶させる。
【００８０】
この変形例によれば、再プリセット操作における個別番号の入力が極めて容易になる。
特に、入力コードの具体的数字列を把握していなくても、過去の数字列から個別番号を順送りでプリセットすることができるので、再プリセット操作が極めて容易である。
【００８１】
また、前回のプリセット操作で適合しなかった入力コードがわからなくなっても、順送りしてプリセット操作を実行することができるので、入力操作性に優れる。
【００８２】
入力コードは、数字のみで構成されるものに限らない。文字，記号，または数字のいずれかを含んで構成された文字列であってもよい。
実施例によれば、入力コードを、メーカ番号と機器番号とを含んで構成しているので、入力コードが体系化されて把握し易くなっている。
【００８３】
入力コードを一覧で表示する場合に、全コードの対応表を記載することなく、マトリックス的に表示できるので、狭いスペースでも理解に足りる一覧を表記することができる。
それにより、リモコン装置本体への一覧表示が可能となり、取り扱い説明書がなくても、使用者がプリセット操作を行うことができる。
【００８４】
また、入力コードを全桁入力すると、少なくともメーカ番号と機器番号とを記憶し、記憶した各番号を、次回のプリセット操作でそれぞれメーカ番号と機器番号として自動的に採用させることができる。
従って、再プリセット操作においてメーカ番号と機器番号とを入力しなくても良いようにできる。
【００８５】
また、送りボタンを使用することで、個別番号の昇順、又は降順の送りができるので、個別番号の桁数分の入力をしなくてもプリセット操作を行うことができ、プリセット操作時間を短縮することができる。
【００８６】
また、メーカ番号を数字列に対応づけているので、対象メーカが増えても、キーが足りずに割り当てができなくなることがない。
また、製造メーカに加えて、機器の種類も分類し、機器番号として数字列に対応づけているので、機器の種類が増加しても、容易にプリセットを行うことができる。
【００８７】
増減は、方向を示すもので、機器番号が連番となっていない場合は、それぞれ増側、減側に隣接する番号を選択する。
増側及び減側の最端番号に達した場合は、例えば、それ以上増減ができないことを知らせるための告知音を出力させるようにするとよい。
【００８８】
本発明の実施例は、上述した構成及び手順に限定されるものではなく、本発明の要旨を逸脱しない範囲において変形例としてもよいのは言うまでもない。
【００８９】
入力コードにおける、メーカ番号，機器番号，及び個別番号の配列は、実施例の配列に限らない。例えば、機器番号，メーカ番号，個別番号の順としてもよい。
【００９０】
また、入力コードは、メーカ番号を含まず、機器番号と個別番号とを含む構成としてもよい。
機器番号で特定される、ある種類の機器において、製造メーカが少なく限られている場合（例えば１社や２社などの独占市場の場合など）には、このメーカ番号を含まない入力コードとすることは有効である。
【００９１】
リモコン装置に液晶表示パネルなどの表示部を備え、入力コードを画面で表示させて使用者が視覚的に入力コードを確認できるようにしてもよい。
また、制御部８に音声合成機能を備えて、入力した数字列を発音させて使用者が聴覚的に入力コードを確認できるようにしてもよい。
【００９２】
送りボタン３は、チャネルの＋／−の送りボタンに限らず、音量の増減ボタンであってもよく、設定を増側、減側、あるいは、順送り、逆送り、などの方向指示可能な増減ボタンであればよい。
【図面の簡単な説明】
【００９３】
【図１】本発明のリモコン装置の実施例を示す正面図及び背面図である。
【図２】本発明のリモコン装置の実施例におけるブロック図である。
【図３】本発明のリモコン装置のプリセット方法の実施例で用いる入力コードＮＣを説明するための表である。
【図４】本発明のリモコン装置のプリセット方法の実施例における手順を説明するフロー図である。
【図５】本発明のリモコン装置のプリセット方法の実施例における変形例を説明するためのフロー図である。
【符号の説明】
【００９４】
１  数字キー
２  送りボタン
３  決定ボタン
４  機器選択ボタン群
４ａ〜４ｆ  機器選択ボタン
５  設定スイッチ
６  案内シール（表示部）
７  発光部（出力手段）
８  制御部
９  送信部
１０  記憶部
１０ａ〜１０ｆ  記憶領域
１１  音声出力部
１２  インジケータ
５０  リモコン装置
ＫＭ  キーマトリックス部（マトリックス部）
ＫＹ  操作キー
ＮＣ  入力コード
ＲＣ  リモコンコード
ＳＧ１  操作信号
ＳＧ２  モード切り換え信号
ＳＧ３  コマンド信号
ＳＧ４  出力信号
【図１】
2010011324.tif 000003
【図２】
2010011324.tif 000004
【図３】
2010011324.tif 000005
【図４】
2010011324.tif 000006
【図５】
2010011324.tif 000007